(57)【要約】【課題】  冷蔵庫などに入れる容器の中身を外側から確認できる、吸着盤付き書き消し自在ボードを提供する。【解決手段】  書き消し自在なボードの裏面に吸着盤を取り付ける。その際、吸着盤の端部がボード面に沿う方向において、ボードの一端面から少なくとも１ｃｍ内側に入った位置から外側に至る任意の位置に形成されていることを特徴とする吸着盤付き書き消し自在ボードを提供する。【選択図】      図１
2005022391.tif 000002
【特許請求の範囲】
【請求項１】
書き消し自在なボードの裏面に吸着盤を取りつける。その際、吸着盤の端部が、ボード面に沿う方向において、ボードの一端面から少なくとも１ｃｍ内側に入った位置から外側に至る任意の位置に形成されていることを特徴とする吸着盤付き書き消し自在ボード。
【請求項２】
吸着盤に突起を形成した請求項１に記載の吸着盤付き書き消し自在ボード。
【請求項３】
ボードをホワイトボードで形成した請求項１〜２のいずれかに記載の吸着盤付き書き消し自在ボード。
【請求項４】
ボードの表側に透明な薄板材を取り付けた請求項１〜３のいずれかに記載の吸着盤付き書き消し自在ボード。
【請求項５】
ボードの上下端部または左右端部に凹部または凸部を形成し、該凹部または凸部に薄板材を嵌着させた請求項４に記載の吸着盤付き書き消し自在ボード。
【発明の詳細な説明】
【発明の詳細な説明】
【技術分野】
【０００１】  本発明は冷蔵庫などに入れる容器の中身を表す字句を、容器の外側に表示するためのボードに関する。
【背景技術】
【０００２】  従来、冷蔵庫などに入れる食品保存用の容器にはタッパーウェアーと云われるプラスチックで形成された容器などが有り、広く利用されている。しかし乍ら、これらの容器に中身を入れ、蓋をして保存すると、数日経過した場合などに、冷蔵庫の扉を開けて外側から見ただけでは容器の中に何が入っているのか判らなくなってしまうことがあった。
【発明が解決しようとする課題】
【０００３】  本発明はその不具合をなくすために、外側から容器を取り出さなくても中身が判るようにすることを課題として研究を進めた。
【課題を解決するための手段】
【０００４】上記課題を解決するために、本発明は以下の各態様の吸着盤付き書き消し自在ボードを提供する。
１．書き消し自在なボードの裏面に吸着盤を取り付ける。その際、吸着盤の端部がボード面に沿う方向において、ボードの一端面から少なくとも１ｃｍ内側に入った位置から外側に至る任意の位置に形成されていることを特徴とする吸着盤付き書き消し自在ボード。
２．吸着盤に突起を形成した上記１項に記載の吸着盤付き書き消し自在ボード。
３．ボードをホワイトボードで形成した上記１〜２項のいずれかに記載の吸着盤付き書き消し自在ボード。
４．ボードの表側に透明な薄板材を取り付けた上記１〜３項のいずれかに記載の吸着盤付き書き消し自在ボード。
５．ボードの上下端部または左右端部に凹部又は凸部を形成し、該凹部または凸部に薄板材を嵌着させた上記４項に記載の吸着盤付き書き消し自在ボード。
【発明を実施するための最良の形態】
【０００５】  以下図面を参照しながら本発明の各種態様に係る吸着盤付き書き消し自在ボードに関して説明する。以下の説明は本発明の技術思想を具現化する幾つかの具体例を説明するものであり、本発明は以下の説明に限定されるものではない。【０００６】  図１は本発明の構造を示す斜視図ａと側面図ｂである。図１に示す吸着盤付き書き消し自在ボードは板状部材１と吸着盤２とで構成されている。この際、図１で示すように吸着盤２の上部端部３が板状部材１の面に沿った方向において、板状部材１の上部端部４から内側に１ｃｍの位置から外部方向に至る任意の位置に形成されていることが本発明の特徴である。なぜならば、吸着盤２の上部端部が上記範囲より内側に位置すると、吸着盤２を容器に吸着させた後で取り外す際、爪先で吸着盤２の上部端部３をはがそうとして指先を付けても指先が吸着盤の端部に届かない不具合が生じてしまうからである。本発明ではこの不具合をなくすため、少なくとも板状部材１の上部端部４から板状部材１の面に沿う方向において、内側に１ｃｍ以内の位置に吸着盤２の上部端部３を位置させるようにするものである。勿論、板状部材１の上部端部４より上方に位置するように形成しても構わない。その方が、はがし易さから云えばより好ましい。実施上、板状部材１の寸法は縦幅７５ｍｍ以内、横幅１５０ｍｍ以内とすることが通常の容器の大きさからして好ましい。吸着盤の寸法について云えば、実施上、容器と板状部材の間隙は狭い方がコンパクトになるので、吸着盤の厚さは１５ｍｍ以内とすることが好ましい。【０００７】  また、本発明の他の態様を図２の側面図に示す。図２ａは吸着盤２に突起５を形成したものである。このようにすると取り外す際、該突起５を引っ張れば簡単に外すことができるので好ましい。図２ｂは突起を上部に伸ばして形成したものである。この場合、本発明では突起５の先端部も吸着盤２の上部端部３と見なすことができる。実施上、突起の寸法は太さが２ｍｍ程度で長さは１０ｍｍ程度が好ましい。【０００８】  また、更に板状部材１について云えば、実施上、表面をホワイトボードで形成することができる。ホワイトボードとは通常、油性インクまたは水性インクペンで書いた後、簡単に消すことができる表面の硬い白色ボードのことである。実施上、色は何色でも構わない。また、板状部材１は湾曲させても屈曲させても良い。また、横側両端部を曲げて足部を形成すると、吸着した際、横側端部を容器に接触させることができ、板状部材を固定させることができるので好ましい。また、材質は硬質なものにこだわることはなく、軟質なものであっても構わない。【０００９】  また、本発明の他の態様を図３の斜視図ａと側面図ｂに示す。図３は透明な薄板材６をボードの表側に取り付けたものである。本図の場合にはボードの上下に凹凸で成した溝７を形成し、該溝７に薄板材６の端部を嵌めこんでいるものである。このようにすると、書き込んだ字句が手で触れたりすることによって消えることを防ぐことができる。実施上、透明な板部材は字句が見えれば良い程度の透明度で構わない。また、薄板材６は軟質または硬質のどちらでも構わない。また、ボードの端部と薄板材の端部を蝶番で連結しても良い。このようにす��と、薄板材を取り外すことなく字句を書くことができる。【００１０】  上記において、本発明の吸着盤付き書き消し自在ボードの好ましい寸法について言及したが、上記の説明に限定されることなく、形状、寸法、材質等は適宜経験的に決定できる。
【発明の効果】
【００１１】  本発明に係る、吸着盤付き書き消し自在ボードによれば、冷蔵庫などに入れた容器の中身を、容器を外に出すことなく簡単に確認することができることとなる。
【図面の簡単な説明】
【図１】  本発明の一形態に係る吸着盤付き書き消し自在ボードの形態を示す斜視図ａと側面図ｂである。
【図２】  本発明の一形態に係る吸着盤付き書き消し自在ボードの側面図ａとｂである。
【図３】  本発明の一形態に係る吸着盤付き書き消し自在ボードの斜視図ａと側面図ｂである。
【符号の説明】
１  板状部材
２  吸着盤
３  吸着盤の上部端部
４  板状部材の上部端部
５  突起
６  薄板材
７  溝
【図１】
2005022391.tif 000003
【図２】
2005022391.tif 000004
【図３】
2005022391.tif 000005